(57)【特許請求の範囲】
【請求項１】
メインディスプレイのためのメイン針（９）と副次的な物理量の表示を分割するための複数区域ディスプレイ機構（１）を有する時計（１００）であって、複数の異なる部分ディスプレイ（２）上での１組の部分範囲（３）によって前記物理量の全変化範囲がカバーされ、前記部分ディスプレイ（２）がそれぞれ、所定の限界値の上および下の、各部分ディスプレイ（２）に特有の所与の部分範囲（３）で前記物理量の変化を表すように構成され、それにより１組の前記部分範囲（３）によって前記物理量の全変化範囲がカバーされ、各前記部分ディスプレイ（２）が単一の針である移動インジケータ（４）を含み、単一の針である前記移動インジケータ（４）が、当該の前記部分ディスプレイ（２）に特有の前記部分範囲（３）を示すスケール（５）または目盛りに対して移動し、各前記部分ディスプレイ（２）が連続機構（１１）を含み、前記連続機構（１１）が前記物理量の前記全変化範囲をカバーし、前記部分ディスプレイ（２）の前記連続機構（１１）がすべて互いに同期する表示機構（１）において、各前記部分ディスプレイ（２）が、その前記移動インジケータ（４）を前記全範囲を表すスケールに関して移動させるように構成されること、および各前記部分ディスプレイ（２）が掩蔽手段を含み、前記掩蔽手段が、前記部分ディスプレイ（２）に特有の前記部分範囲（３）を表す前記スケール（５）のみに関して前記移動インジケータ（４）が見えるように構成され、さらに、他の全ての部分範囲を表すスケールに関して前記部分ディスプレイ（２）の前記移動インジケータ（４）はあまりよく見えない、またはぼんやりとしか見えないように構成された複数区域ディスプレイ機構（１）を有し、そして、
前記メインディスプレイのためのメイン針（９）が前記掩蔽手段の上に位置されており、
前記掩蔽手段は、前記複数区域ディスプレイ機構（１）のディスプレイを掩蔽し、複数の異なる前記部分ディスプレイ（２）とすることを特徴とする時計。
【請求項２】
前記掩蔽手段が少なくとも１つのマスク（６）を含み、前記マスク（６）が、前記部分ディスプレイ（２）に特有の前記部分範囲（３）のみが見え、他の全ての部分範囲を隠すように配置され、さらに、前記部分ディスプレイ（２）に特有の前記インジケータ（４）が他の全ての部分範囲の前にある、または他の全ての部分範囲の反対にあるときには、前記移動インジケータ（４）を隠すように配置されることを特徴とする複数区域ディスプレイ機構を有する、請求項１に記載の時計。
【請求項３】
前記スケール（５）が目盛りを振られていることを特徴とする複数区域ディスプレイ機構を有する、請求項１に記載の時計。
【請求項４】
各前記連続機構が循環運動を行うことを特徴とする複数区域ディスプレイ機構を有する、請求項１から３のいずれか一項に記載の時計。
【請求項５】
各前記連続機構が周期的運動を行うことを特徴とする複数区域ディスプレイ機構を有する、請求項１から４のいずれか一項に記載の時計。
【請求項６】
前記物理量が、時間に関係する量であることを特徴とする複数区域ディスプレイ機構を有する、請求項１から５のいずれか一項に記載の時計。
【請求項７】
各前記連続機構（１１）が、前記時計（１００）に備えられたムーブメント（１２）に同期して結合されるように構成されることを特徴とする複数区域ディスプレイ機構を有する、請求項１から６のいずれか一項に記載の時計。
【請求項８】
前記部分ディスプレイ（２）の前記連続機構をすべて同期して駆動するように構成されたムーブメントを含むことを特徴とする、請求項１から７のいずれか一項に記載の時計用の少なくとも１つの複数区域ディスプレイ機構。
【発明の詳細な説明】
【技術分野】
【０００１】
本発明は、科学的機器又は時計において物理量のディスプレイを分割するための複数区域ディスプレイ機構であって、複数の異なる部分ディスプレイ上での１組の部分範囲によって前記物理量の全変化範囲がカバーされる複数区域ディスプレイ機構に関する。部分ディスプレイがそれぞれ、所定の上限値と下限値との間で、各部分ディスプレイに特有の所与の部分範囲で前記物理量の変化を表すように構成され、全ての前記部分範囲によって前記物理量の全変化範囲がカバーされる。各前記部分ディスプレイがインジケータを含み、インジケータが、当該の前記部分ディスプレイに特有の前記部分範囲を示すスケール又は目盛りに対して移動し、各前記部分ディスプレイが連続機構を含み、連続機構が前記物理量の前記全変化範囲をカバーし、前記部分ディスプレイの前記連続機構が全て互いに同期する。
【０００２】
また、本発明は、このタイプの少なくとも１つの機構を組み込む時計に関する。
【背景技術】
【０００３】
本発明は、科学的機器の分野に関し、より具体的には時計学の分野に関する。
【０００４】
本発明が克服することを提案する技術的な問題は、科学的機器又は時計において、同じ所与の物理量の表示を複数のディスプレイユニットに分散させることであり、前記ディスプレイユニットはそれぞれ、所定の上限値と下限値との間の所与の範囲にわたって前記物理量の変化を表さなければならない。
【０００５】
メイン時計ディスプレイタイプ及びそれに備えられた複合機能に応じて、このメインディスプレイ及び／又は複合機能のいくつかのために、時計文字盤の１つ又は複数の特定の領域、特に文字盤の中央部を空けておく必要があることがある、又はそれが単純に有利であることがある。
【０００６】
このとき、いくつかの物理量の表示をあまり密集していない領域に移動させることができることが有用である。
【０００７】
文字盤の実質的に三角形の区域を使用するレトログラードディスプレイを使用することが知られている。しかし、レトログラードディスプレイは、連続ディスプレイを好む使用者にとっては見づらいものである。
【０００８】
Ｌａｎｃｅｌに付与された特許文献１では、時間ディスプレイは、Ｙ形状の支持体によって枢支された３つの十字形ホイールセットの１つを介して円形の目盛り付き区域を通るように成され、各ホイールセットは、常に同じ方向に枢動し、十字のただ１つの分岐を除いて全てが円板によって隠され、この分岐は、目盛り付き円形区域と反対にある環状空間内に見える。
【０００９】
同様に、Ｄａｎｉｅｌ  Ｒｏｔｈ及びＧｅｒａｌｄ  Ｇｅｎｔａに付与された特許文献２は、連続的に枢動し、かつ２つの複式の逆向き枢動針を担持するホイールセットを開示し、これらの針は、１８０°の幅にわたる目盛り付き円形区域と反対にある環状区域以外では隠されている。
【００１０】
Ａｇｅｎｈｏｒに付与された特許文献３におけるように、複数のアームを有する連続機構も知られており、これらは、同じ文字盤に面して逆方向に回転する同一の機構と組み合わせることができる。
【００１１】
「ポールピコテクノグラフ」ウォッチも知られており、これは、中央文字盤の各側にある半月状の２つの半文字盤を含み、各半文字盤が異なる機能を有し、内側スケールと外側スケールを含み、それらのスケールに関して、それぞれ同じ複式針の短い針先又は長い針先が位置決めされる。
【００１２】
これらの既知の機構の全般的な原理は、不連続な外観を与えるようにマスクと１つ又は複数の特別な針とを組み合わせることである。
【００１３】
ＴＩＭＥＮＴＥＬ  ＰＴＹに付与された特許文献４は、２つの並置されたケースを有する腕時計を開示し、ここでは、２つのムーブメントが導電体によって同期され、各ムーブメントにレトログラードディスプレイが設けられ、それにより、モータによってそれぞれ動作されるそれらの針は、どちらもマスクの背後で止められるか、又はそれぞれ下側又は上側半文字盤上を移動する。
【００１４】
要約すると、単一の目盛り付き文字盤又は同心の複数の目盛り付き文字盤に対置する針、又はより一般的には表示指針の特定の構成を有する機構が存在するが、それらは、レトログラード表示を有し、その動作は時として複雑であり、それらの寸法は、利用可能な空間の使用に対する上記の制約にあまり適していない。
【先行技術文献】
【特許文献】
【００１５】
【特許文献１】フランス特許第６４７４０９号
【特許文献２】欧州特許第０９５０９３２号
【特許文献３】スイス特許第６９９１１７号
【特許文献４】フランス特許第２７９３８９８号
【発明の概要】
【発明が解決しようとする課題】
【００１６】
本発明は、複数のディスプレイ上に提供される同じ物理量の表示を時計全体にわたって分散させるという問題に対する、連続ディスプレイによる解決策を提案し、これらのディスプレイはそれぞれ、所定の上限値と下限値との間で前記物理量の所与の範囲を表さなければならない。
【００１７】
物理量は、時間に関連する量でよいが、別のタイプの物理量、例えば気圧や湿度などでもよい。
【課題を解決するための手段】
【００１８】
従って、本発明は、科学的機器又は時計において物理量の表示を分割するための複数区域ディスプレイ機構であって、複数の異なる部分ディスプレイ上の１組の部分範囲によって前記物理量の全変化範囲がカバーされる複数区域ディスプレイ機構に関する。部分ディスプレイがそれぞれ、所定の上限値と下限値との間で、各部分ディスプレイに特有の所与の部分範囲にわたって前記物理量の変化を表すように構成され、それにより、全ての前記部分範囲によって前記物理量の全変化範囲がカバーされる。各前記部分ディスプレイがインジケータを含み、インジケータが、当該の前記部分ディスプレイに特有の前記部分範囲を示すスケール又は目盛りに対して移動し、各前記部分ディスプレイは連続機構を含み、連続機構が前記物理量の前記全変化範囲をカバーする。前記部分ディスプレイの前記連続機構が全て互いに同期する。本発明は、各前記部分ディスプレイが、その前記移動インジケータを前記全範囲を表すスケールに関して移動させるように構成されること、及び各前記部分ディスプレイが掩蔽手段を含み、掩蔽手段が、前記部分ディスプレイに特有の前記部分範囲を表す前記スケールのみに関して部分ディスプレイの移動インジケータが見えるように構成され、さらに、他の全ての部分範囲を表すスケールに関する前記移動インジケータはあまりよく見えない、又はぼんやりとしか見えないように構成されることを特徴とする。
【００１９】
本発明の１つの特徴によれば、前記掩蔽手段が少なくとも１つのマスクを含み、マスクが、部分ディスプレイに特有の前記部分範囲のみが見え、他の全ての部分範囲が隠れるように配置され、さらに、前記部分ディスプレイに特有の前記インジケータが他の全ての部分範囲の前にある、又は他の全ての部分範囲の反対にあるときには、前記移動インジケータを隠すように配置される。
【００２０】
本発明の１つの特徴によれば、各前記連続機構が循環運動を行う。
【００２１】
より具体的には、本発明の別の特徴によれば、各前記連続機構が周期的運動を行う。
【００２２】
ある好ましい実施形態に特有の特徴によれば、前記物理量は時間量である。
【００２３】
また、本発明は、このタイプの少なくとも１つの機構を組み込む時計に関する。
【００２４】
本発明の他の特徴及び利点は、添付図面を参照して以下の説明を読めば明らかになろう。
【図面の簡単な説明】
【００２５】
【図１】第１の実施形態での本発明による機構を含む時計の概略前面図である。
【図２】メイン針を省いて示した、本発明による機構に備えられたマスクを取り外した後の図１の時計を示す図である。
【図３】第２の実施形態での本発明による機構を含む時計の概略正面図である。
【図４】第３の実施形態での本発明による機構を含む時計の概略正面図である。
【図５】図１の時計の概略部分平面図である。
【図６】別の変形形態での本発明による機構を含む時計の概略正面図である。
【図７】インジケータ及び文字盤の視覚的側面に基づく別の実施形態である本発明による機構を含む時計の概略正面図である。
【図８】図７での時計と同様の図での、図１の実施形態での本発明による機構を含む時計の概略正面図である。
【図９】異なるタイプの装飾を有する図７の実施形態による部分ディスプレイの概略正面図であり、部分範囲での物理量の表示を示す。
【図１０】異なるタイプの装飾を有する図７の実施形態による部分ディスプレイの概略正面図であり、該部分ディスプレイから、異なる部分範囲に対応する領域への変化を示す。
【図１１】本発明による複数区域ディスプレイ装置を備えて形成された時計の実施例を示す図である。
【図１２】本発明による複数区域ディスプレイ装置を備えて形成された時計の実施例を示す図である。
【図１３】本発明による複数区域ディスプレイ装置を備えて形成された時計の実施例を示す図である。
【発明を実施するための形態】
【００２６】
本発明は、科学的機器の分野に関し、より具体的には時計学の分野に関する。
【００２７】
ある物理量の表示を複数の部分表示に分割することは、科学的機器又は時計で利用可能な体積を活用するだけでなく、特定の領域に関する情報を使用者に提供し、１つ又は複数の特定の範囲に関して表示スケール又はインジケータの色が異なる視覚表示を提供することができる。
【００２８】
例えば、放射能カウンタは、測定される放射能レベルを、第１の低域範囲で、小さなサイズの第１の窓内で、特定の第１のしきい値まで表示することができる。この第１のしきい値を超えると、より大きな注意を要する領域に対応する第２の範囲に関して、例えば異なる色の針で、第１の窓よりも大きいサイズの第２の窓内で、第２のしきい値まで表示が提供される。この第２のしきい値を超えると、さらに大きなサイズの第３の窓によって、異なる色の針で、第３の危険領域が表される。
【００２９】
本明細書では、より具体的には、時計に関する好ましい実施形態に関して本発明を説明するが、先の例に鑑みて、本明細書で以後「科学的機器」と呼ぶデバイスにおいて、測定及び／又は計数手段、及び／又は物理量を生成するための手段に関連付けて任意のタイプの物理量を表示するために本発明を実装することができることは明らかである。
【００３０】
本発明は、科学的機器又は時計１００において物理量のディスプレイを分割するための複数区域ディスプレイ機構であって、ここで、複数の部分ディスプレイ２上の１組の部分範囲３によって前記物理量の全変化範囲がカバーされる複数区域ディスプレイ機構に関する。
【００３１】
これらの部分ディスプレイ２は別個のものであり、それぞれ、所定の上限値と下限値との間で、各部分ディスプレイ２に特有の所与の部分範囲３にわたって、物理量の変化を表すように構成され、それにより１組の部分範囲３によって物理量の全変化範囲がカバーされる。各前記部分ディスプレイ２は、スケール５又は目盛りに対して移動するインジケータ４を含み、スケール５は、該部分ディスプレイ２に特有の前記部分範囲３を表す。
【００３２】
本発明によれば、各前記部分ディスプレイ２は、前記物理量の全変化範囲をカバーする連続機構１１を含み、この連続機構１１は、部分ディスプレイ２の移動インジケータ４を全範囲にわたって移動させるように構成される。部分ディスプレイ２の連続機構１１は全て互いに同期される。
【００３３】
さらに、本発明によれば、各部分ディスプレイ２は、その移動インジケータ４を前記全範囲を表すスケールに対して移動させるように構成される。各前記部分ディスプレイ２は掩蔽手段を含み、掩蔽手段は、各部分ディスプレイ２に特有の部分範囲３を表すスケール５のみに関して部分ディスプレイ２の移動インジケータ４が見え、さらに、他の全ての部分範囲を表すスケールに関する部分ディスプレイ２の前記移動インジケータ４はあまりよく見えない、又はぼんやりとしか見えないように構成される。
【００３４】
図１、図３、図４、図５、図６、及び図８で見られる特定の実施形態では、各部分ディスプレイ２がマスク６を含み、マスク６は、部分ディスプレイ２に特有の部分範囲３のみを露出させ、他の全ての部分範囲を隠すように配置され、さらに、部分ディスプレイ２に特有の移動インジケータ４が他の全ての部分範囲の前にある、又は他の全ての部分範囲の反対にあるときには、移動インジケータ４を隠すように配置される。
【００３５】
単純化された実施形態では、掩蔽手段は、移動インジケータ４、典型的には針の形状及び／又は装飾、及び／又はメイン文字盤１０の装飾である。
【００３６】
図７は、針４Ａ及び４Ｂの場合を示し、これらの針４Ａ及び４Ｂは、メイン文字盤１０に備えられた装飾部分１５と同じ装飾を含み、前記装飾部分は、部分ディスプレイ２Ａ及び２Ｂに対応する装飾境界１６Ａ及び１６Ｂによって境界を画される。
【００３７】
図７の場合のように単に色を利用することもできる。
【００３８】
また、図９及び図１０に見られるように、移動インジケータ４と着色背景部分１５の両方の装飾のテクスチャを利用することもでき、ここでは装飾はランダムなテクスチャであり、文字盤の装飾部分１５に対して針４の位置を特定するのが非常に難しくなる。このランダムなテクスチャは、カモフラージュ効果を提供し、装飾１５の前にある針４をほぼ見えないようにする。
【００３９】
本発明によれば、機構１のこれらの部分ディスプレイ２の連続機構１１は全て互いに同期する。
【００４０】
好ましい実施形態では、機構１は時計１００用に開発されている。
【００４１】
好ましくは、各部分ディスプレイ２の各連続機構１１は、循環運動、より特定的には周期的運動を行う。
【００４２】
ここで説明する好ましい用途では、機構１の表示対象となっている物理量は時間量である。
【００４３】
各連続機構１１は、科学的機器又は時計１００に備えられたムーブメント１２に同期して結合されるように構成される。
【００４４】
図面に示されるように、本発明は、少なくとも１つの物理量、すなわち図１〜図３では秒、又は図４では時間の表示を複数のスケール５、特に目盛りに分け、各スケール５は、文字盤１３上に位置され、前記物理量の取り得る全幅の部分領域をカバーする。
【００４５】
図面では、移動インジケータ４は針によって形成されている。表示指針、窓付きの円板、又は他のインジケータの形態を取ることもできる。
【００４６】
複数の区域で表示全体が形成されており、使用者は、１つの文字盤から他の文字盤に同じ針が飛び移るような印象を受ける。
【００４７】
前記移動インジケータ４を駆動する部分ディスプレイ２の連続機構１１の移動は全て互いに同期しており、前記部分ディスプレイ２は連続ディスプレイを成す。
【００４８】
各部分ディスプレイがマスク６を含み、マスク６は、該部分ディスプレイ２で見える部分範囲３の所定の下限に対応する第１の縁部７と、同じ範囲の所定の上限に対応する第２の縁部８とを含む。
【００４９】
図面の例では、全てのマスク６がつながって単一のマスクを形成しているが、これは１つの特定の実施形態にすぎない。
【００５０】
図示しない本発明の１つの特定の変形形態では、各マスク６の幅を使用者が例えばサムホイールによって調節することができ、サムホイールは、ベゼルの周縁に位置され、ロック／ロック解除手段を含む。この構成により、使用者が、機構１の部分ディスプレイ２の各部分範囲３を様式設定することができるようになる。この変形形態では、１つの特定の実施形態は、例えば歯車によってマスク６を互いに接続し、それにより、所与の部分ディスプレイ２のマスク６の第１の縁部７又は第２の縁部８を調節するための任意の操作が、表示される物理量の値のスケールにおける先行範囲又は後続範囲に対応する別の部分ディスプレイ２の第２の縁部８又は第１の縁部７をそれぞれ調節することになる。
【００５１】
それにより、本発明から逸脱することなく、マスクからなる様々な掩蔽手段を使用することができる。重要なことは、これらの掩蔽手段又はマスク６が、対応する部分ディスプレイ２上で使用者が見るただ１つのインジケータを除く全ての前記移動インジケータ４を常に隠すように構成されることである。図面の例では、任意の時間に１つの部分ディスプレイの１本の針のみが見えていることが明らかである。部分ディスプレイ２の数（図１及び図２では２、図３では４、図４では３）に応じて、１本又は複数本の他の針が隠される。
【００５２】
また、マスク６を使用して、別の情報、例えば日付を表示するための窓１４を設けることもできる。
【００５３】
図１〜図３は、秒の区域ディスプレイを示し、これは、使用者が望むように時計１００の領域内に表示される。図１及び図２は、半円板を使用するディスプレイの場合を示す。図２は、部分ディスプレイ２Ａと２Ｂが同一であり、完全に同期しており、それぞれが同じ角度位置での針４Ａ、４Ｂを含むことを示す。図１のマスク６は、図示される時点では針４Ａを隠す。ディスプレイ２Ｂの針４Ｂのみが見えている。部分ディスプレイ２Ｂの機構１１Ｂが針４Ｂを駆動させて、その１２時の位置を過ぎると、針４Ｂは、第２の縁部８Ｂの下を通るのでもはや見えなくなり、マスク６によって隠される。ちょうどその瞬間に、部分ディスプレイ２Ａの針４Ａは、部分ディスプレイ２Ａの第１の縁部７Ａの右に見え、その６時の位置で第２の縁部８Ａの下に消えるまで、見えている状態になる。次いで、図１に示されるように、部分ディスプレイ２Ｂの他方の針４Ｂが、第１の縁部７Ｂを過ぎた後に見えるようになる。
【００５４】
図３は、部分ディスプレイ２Ａ、２Ｂ、２Ｃ、２Ｄを形成する４つの四分円への分割を示す。動作は、図１及び図２に関して説明したのと同様である。
【００５５】
本発明が、区別されたディスプレイを異なる振幅の範囲のために形成することもできることは明らかである。例えば、図４の場合には、２４時間の区分表示を提案し、部分ディスプレイ２Ａでの６時間の振れ幅範囲にわたる朝時間表示と、部分ディスプレイ２Ｂでの６時間の範囲にわたる午後時間表示と、部分ディスプレイ２Ｃでの１２時間の範囲にわたる夜時間とが区別され、それぞれ異なる外観のスケールを有する。従って、使用者の職業又は活動に応じて特定のタイプのディスプレイを備える安価な時計モデルを使用者に提案することができる。
【００５６】
また、図４の同じ場合において、対象の物理量、ここでは時間を別の様式で示すことができることも分かり、例えば、メイン文字盤１０に対して移動する時計１００のメイン針９では１２時間表示であり、機構１及びその部分ディスプレイ２Ａ、２Ｂ、２Ｃでは２４時間表示であり、これは、使用者が見慣れている通常の表示に加えて、使用者にＡＭ／ＰＭ及び日中／夜間の表示を提供する。
【００５７】
図５は、連続機構１１Ａ及び１１Ｂによって移動インジケータ４Ａ及び４Ｂを駆動する例示的形態を示し、連続機構１１Ａ及び１１Ｂはそれぞれ、時計１００のムーブメント１２のホイールと噛み合う単純なピニオンにすることができる。この例が最も安価であるが、本発明から逸脱することなく、ベルト、チェーン、又は他の要素を使用する他の駆動機構を使用することもできる。
【００５８】
特定の用途はスポーツ用途に関わり、例えばレガッタなどのレースにおいて、使用者に特に重要なスタート直前の時間と、その前の既定の待機期間に関する時間とを区別するための異なるサイズの文字盤を備える。また、本発明は、カウントダウンと組み合わせることもできる。機構１は、移動インジケータの枢動方向を容易に逆転できるようにし、カウントダウンの方向で区分表示を部分的に又は完全に実現することができる。
【００５９】
要約すると、本発明は、低コストの複数区域ディスプレイ装置を提供する。物理量のディスプレイを複数の領域に分割することで、各領域内の限られた空間を使用して非常に読みやすい情報を表示することによって、利用可能な空間をより良く活用できる。通常、ディスプレイが細分化されていない場合、情報は非常に小さなディスプレイに制約される。
【００６０】
また、同じ情報の異なる範囲のために複数のディスプレイを周到に配置することで、使用者がそれらを見ることを期待する文字盤の領域内にディスプレイを配置できるようになる。例えば、正方形又は長方形ケースの４隅にずらされた４つの四分円への分割により、使用者が各隅にあるタイムスロットを見ることができるようにし、例えば、このタイムスロットは、使用者が見慣れているように、文字盤の中心に対する中心角で見ることができるものである。
【００６１】
いくつかのディスプレイユニットにわたって情報が分散されるが、常にディスプレイユニットの１つのみが情報を示し、これはまた、情報表示が１つのディスプレイユニットから別のディスプレイユニットへ周期的にジャンプすることによって時計文字盤に躍動感を与える。
【００６２】
この構成により、一連の表示がそれ独自のリズムを有し、従ってこれが、対象の物理量の１つの領域から他の領域への変化に関して使用者に新たな情報を提供する。
【００６３】
躍動感のあるこの表示は、例えばディスプレイユニットの１つから針が消えるように見え、それと同時に、同じ（ものであるかのように見える）針が、対象の物理量の次の表示範囲に対応する別のディスプレイユニットに現れるように見えることによって、不可思議な効果をもたらすことができる。
【００６４】
本発明は、単純な機構、低コスト、コンパクト性、読み取りやすい情報、革新的な外観といった多くの利点を有する。
【符号の説明】
【００６５】
１  機構
２  部分ディスプレイ
３  部分範囲
４  移動インジケータ
４Ａ、４Ｂ  針
５  スケール
６  マスク
７  第１の縁部
８  第２の縁部
９  メイン針
１０  メイン文字盤
１１  連続機構
１２  ムーブメント
１３  文字盤
１４  窓
１５  装飾部分
１６Ａ、１６Ｂ  装飾境界
１００  科学的機器、時計
【図１】
0005411224.tif 000002
【図２】
0005411224.tif 000003
【図３】
0005411224.tif 000004
【図４】
0005411224.tif 000005
【図５】
0005411224.tif 000006
【図６】
0005411224.tif 000007
【図７】
0005411224.tif 000008
【図８】
0005411224.tif 000009
【図９】
0005411224.tif 000010
【図１０】
0005411224.tif 000011
【図１１】
0005411224.tif 000012
【図１２】
0005411224.tif 000013
【図１３】
0005411224.tif 000014